(57)【特許請求の範囲】
【請求項１】
バッテリを上載するトレイと、前記バッテリ上部両側の角部を押さえ込む一対の固定ビームと、該各固定ビームを前記バッテリ上部両側の角部を押さえ込ませた状態でトレイ側から拘束するロックアームとを備えた車両用バッテリの保持構造であって、前記ロックアームの基端部が円弧状に巻き返されて係止環を成し、前記各固定ビームの対峙方向に傾動し得るよう、前記係止環の中心を挿通させたボルトを介してトレイ側に枢支されており、前記ロックアームの先端部は前記各固定ビームに対し締結されることを特徴とする車両用バッテリの保持構造。
【請求項２】
トレイが車両のボデーに設けた格納庫に対し引き出し式に出し入れし得るように構成されていることを特徴とする請求項１に記載の車両用バッテリの保持構造。
【発明の詳細な説明】
【技術分野】
【０００１】
本発明は、車両用バッテリの保持構造に関するものである。
【背景技術】
【０００２】
近年においては、エンジンとモータジェネレータとを併用した燃費性能の高いハイブリッド自動車の開発が進められているが、この種のハイブリッド自動車では、電力走行用電源を成すバッテリを搭載する必要があり、特にハイブリッドバス等においては、ボデーの側面に設けた格納庫に対し引き出し式に出し入れし得るようにトレイを設置し、このトレイにバッテリを上載して保持させるようにしている。
【０００３】
図４は従来の車両用バッテリの保持構造を示すもので、ここに図示している例では、二つの角形のバッテリ１が並べてトレイ２に上載されており、このバッテリ１が並べられている方向を幅方向として規定すると共に、該幅方向に対し直角な水平方向を前後方向として規定している。
【０００４】
そして、これらのバッテリ１の上部における幅方向両側の角部が一対の固定ビーム３により押さえ込まれるようになっていて、該各固定ビーム３が前記トレイ２側から延びるロックアーム４により拘束されるようになっており、走行振動等に対しバッテリ１が安定して保持されるようにしてある。
【０００５】
ここで、前記ロックアーム４の基端部は、釣り針状に巻き返されてフック部５を成すようにしてあり、前記トレイ２の前後端面の夫々に二つずつ開けられた係止孔６に対し前記フック部５が引っ掛けられて係止されるようになっている一方、前記ロックアーム４の先端部は、ボルトの如き雄ネジ部７として形成されていて、前記固定ビーム３の前後端部に対し貫通してナット８により締結されるようになっている。
【０００６】
尚、この種の車両用バッテリの保持構造に関連する先行技術文献情報としては下記の特許文献１等がある。
【先行技術文献】
【特許文献】
【０００７】
【特許文献１】実開平２−１２４６６１号公報
【発明の概要】
【発明が解決しようとする課題】
【０００８】
しかしながら、斯かる従来構造においては、バッテリ１の点検整備時にナット８を取り外してから固定ビーム３やロックアーム４を全て撤去してバッテリ１を取り外すようにしているため、該バッテリ１の取り外しやその後の取り付け直しの作業に手間がかかるという問題があり、特にハイブリッドバス等に採用されている引き出し式のトレイ２の場合に格納庫の奥側での作業が非常に煩わしいものとなることから、バッテリ１の点検整備時における作業性の改善が望まれている。
【０００９】
ここで、トレイ２側の係止孔６は、ロックアーム４のフック部５を引っ掛け易くするために相対的に大きく開口されているが、ナット８の緩みによりロックアーム４に引っ張り荷重が作用しなくなれば、各固定ビーム３をバッテリ１の角部から外した際にロックアーム４や固定ビーム３が姿勢保持できなくなって全体形状が崩れ、これらのトレイ２下への脱落を招きかねないことから、固定ビーム３やロックアーム４を全て撤去した上でバッテリ１を取り外す措置が取られている。
【００１０】
一方、フック部５が外れ難くなるように係止孔６を小径化してしまうと、大きく曲げたフック部５を前記係止孔６に通すのが困難となり、ロックアーム４をトレイ２側に簡便に取り付けることができなくなってしまうため、これまでのところはバッテリ１の点検整備時における作業性に目をつぶって既存構造を踏襲し続けているのが実情である。
【００１１】
本発明は上述の実情に鑑みてなしたもので、バッテリの点検整備時における作業性を従来よりも大幅に改善し得るようにした車両用バッテリの保持構造を提供することを目的とする。
【課題を解決するための手段】
【００１２】
本発明は、バッテリを上載するトレイと、前記バッテリ上部両側の角部を押さえ込む一対の固定ビームと、該各固定ビームを前記バッテリ上部両側の角部を押さえ込ませた状態でトレイ側から拘束するロックアームとを備えた車両用バッテリの保持構造であって、前記ロックアームの基端部が円弧状に巻き返されて係止環を成し、前記各固定ビームの対峙方向に傾動し得るよう、前記係止環の中心を挿通させたボルトを介してトレイ側に枢支されており、前記ロックアームの先端部は前記各固定ビームに対し締結されることを特徴とするものである。
【００１３】
而して、このようにした場合に、ロックアームの先端部と固定ビームとの締結を緩めて前記ロックアームに引っ張り荷重が作用しない状態とし、バッテリ上部両側の角部から固定ビームを外してロックアームをバッテリの外側へ倒すように傾動させると、該バッテリの外側に各固定ビームが退避した状態となり、しかも、各ロックアームがトレイ側に連結された状態のまま保持されるので、これら固定ビームやロックアームを全て撤去しないままバッテリを取り外すことが可能となる。
【００１４】
また、バッテリの整備点検後の取り付け直しの作業では、トレイ上にバッテリを上載し直してからロックアームをバッテリの内側へ起こすように傾動させ、固定ビームを前記バッテリ上部両側の角部を押さえ込ませた状態とした上でロックアームの先端部と固定ビームとの締結を締め直すと、前記ロックアームに引っ張り荷重が作用してトレイ側から固定ビームが拘束された状態となり、点検整備後のバッテリを簡便に取り付け直すことが可能となる。
【００１６】
また、トレイが車両のボデーに設けた格納庫に対し引き出し式に出し入れし得るように構成されていても良く、このように構成されている場合には、トレイを格納庫から引き出した状態でロックアームを傾動させることが可能となり、該ロックアームの傾動範囲を確保し易くなる。
【発明の効果】
【００１７】
上記した本発明の車両用バッテリの保持構造によれば、下記の如き種々の優れた効果を奏し得る。
【００１８】
（Ｉ）本発明の請求項１に記載の発明によれば、固定ビームやロックアームを全て撤去しないままバッテリを取り外したり、点検整備後のバッテリを簡便に取り付け直したりすることができるので、バッテリの点検整備時における作業性を従来よりも大幅に改善することができる。
【００１９】
（ＩＩ）本発明の請求項２に記載の発明によれば、既存の構造に対し大掛かりな改造を施す必要がなく、既存の構造に対し簡単な改造を施すだけで実施することができるので、その実施にあたってのコストを大幅に抑制することができる。
【００２０】
（ＩＩＩ）本発明の請求項３に記載の発明によれば、トレイを格納庫から引き出した状態でロックアームを傾動させることができるので、該ロックアームの傾動範囲を確保し易くすることができ、バッテリの点検整備時における作業性の更なる向上を図ることができる。
【図面の簡単な説明】
【００２１】
【図１】本発明を実施する形態の一例を示す斜視図である。
【図２】図１のトレイを単独で示す斜視図である。
【図３】図１のトレイを支持しているレールを単独で示す斜視図である。
【図４】従来例を示す正面図である。
【発明を実施するための形態】
【００２２】
以下本発明の実施の形態を図面を参照しつつ説明する。
【００２３】
図１〜図３は本発明を実施する形態の一例を示すもので、図４と同一の符号を付した部分は同一物を表わしている。
【００２４】
図１〜図３に示す如く、本形態例においては、先に図４で説明した既存構造の場合と同様に、二つの角形のバッテリ１が並べてトレイ２に上載されており、このバッテリ１が並べられている方向を幅方向として規定すると共に、該幅方向に対し直角な水平方向を前後方向として規定している。
【００２５】
そして、これらのバッテリ１の上部における幅方向両側の角部が一対の固定ビーム３により押さえ込まれるようになっていて、該各固定ビーム３が前記トレイ２側から延びるロックアーム４により拘束されるようになっているが、該ロックアーム４を前記トレイ２の前後端面に一対一組で装備して基端部を前記各固定ビーム３の対峙方向（バッテリ１の幅方向）へ傾動し得るよう枢支し且つ先端部を前記各固定ビーム３に対し締結したところを特徴としている。
【００２６】
ここで、ロックアーム４の基端部は、円弧状に巻き返されて係止環９を成し且つ該係止環９の中心を挿通させたボルト１０を介してトレイ２側に枢支されており、該トレイ２の前後端面における前記各ボルト１０の枢支位置は、二つ並べたバッテリ１の幅寸法の範囲内に設定されるようになっている。
【００２７】
一方、ロックアーム４の先端部は、先に図４で説明した既存構造の場合と同様に、ボルトの如き雄ネジ部７として形成されていて、前記固定ビーム３の前後端部に対し貫通して蝶ナット１７により締結されるようになっている。
【００２８】
また、前記トレイ２は、ハイブリッドバス等におけるボデーの側面に設けられた格納庫１１に対し引き出し式に出し入れし得るようになっており、より具体的には、シャシフレーム側から支持されているカバー１２により周囲を囲まれて前記格納庫１１が形成されていると共に、該格納庫１１の底部に前記トレイ２を移動自在に支持するレール１３が架設され且つ該レール１３上に前記トレイ２下面に具備されたガイドバー１４が移動自在に係合設置されている。
【００２９】
ここで、前記ガイドバー１４は、逆さのＬ字断面を成すようなアングル形状を有し且つその後端内側にガイド輪１５を備えていて、前記レール１３は、幅方向外側に向け溝形を成すチャンネル形状を有し且つその前端外側にガイド輪１６を備えており、更には、このガイド輪１６の配置されている位置における上側のフランジ面が切欠かれて前記ガイド輪１６がフランジ面より高く張り出すようになっており、これら相互のガイド輪１５，１６の転動によりガイドバー１４がレール１３に沿って移動し得るようにしてある。
【００３０】
而して、このようにした場合に、ロックアーム４の先端部と固定ビーム３とを締結している蝶ナット１７を緩めて前記ロックアーム４に引っ張り荷重が作用しない状態とし、バッテリ１上部両側の角部から固定ビーム３を外してロックアーム４をバッテリ１の幅方向外側へ倒すように傾動させると（図２中の矢印Ａ参照）、該バッテリ１の幅方向外側に各固定ビーム３が退避した状態となり、しかも、各ロックアーム４がトレイ２の前後端面に連結された状態のまま保持されるので、これら固定ビーム３やロックアーム４を全て撤去しないままバッテリ１を取り外すことが可能となる。
【００３１】
また、バッテリ１の整備点検後の取り付け直しの作業では、トレイ２上にバッテリ１を上載し直してからロックアーム４をバッテリ１の幅方向内側へ起こすように傾動させ（図２中の矢印Ｂ参照）、固定ビーム３を前記バッテリ１上部両側の角部を押さえ込ませた状態とした上で蝶ナット１７を締め直すと、前記ロックアーム４に引っ張り荷重が作用してトレイ２側から固定ビーム３が拘束された状態となり、点検整備後のバッテリ１を簡便に取り付け直すことが可能となる。
【００３２】
従って、上記形態例によれば、固定ビーム３やロックアーム４を全て撤去しないままバッテリ１を取り外したり、点検整備後のバッテリ１を簡便に取り付け直したりすることができるので、バッテリ１の点検整備時における作業性を従来よりも大幅に改善することができる。
【００３３】
特に本形態例においては、ロックアーム４の基端部が円弧状に巻き返されて係止環９を成し且つ該係止環９の中心を挿通させたボルト１０を介してトレイ２側に枢支させるようにしているので、既存の構造に対し大掛かりな改造を施す必要がなく、既存の構造に対し簡単な改造を施すだけで実施することができるので、その実施にあたってのコストを大幅に抑制することができる。
【００３４】
また、トレイ２が車両のボデーに設けた格納庫１１に対し引き出し式に出し入れし得るように構成されているので、トレイ２を格納庫１１から引き出した状態でロックアーム４を傾動させることができ、これによりロックアーム４の傾動範囲を確保し易くすることができてバッテリ１の点検整備時における作業性の更なる向上を図ることができる。
【００３５】
尚、本発明の車両用バッテリの保持構造は、上述の形態例にのみ限定されるものではなく、本発明の要旨を逸脱しない範囲内において種々変更を加え得ることは勿論である。
【符号の説明】
【００３６】
１      バッテリ
２      トレイ
３      固定ビーム
４      ロックアーム
９      係止環
１０    ボルト
１１    格納庫
【図１】
0006646389.tif 000002
【図２】
0006646389.tif 000003
【図３】
0006646389.tif 000004
【図４】
0006646389.tif 000005